(57)【要約】【課題】本発明は、ユーザの現在位置を表す位置情報をプレゼンス情報としてユーザに提示することができる位置情報に基づく通信サービスシステムの提供を目的とする。【解決手段】本発明は、ユーザの携帯型端末２から発信される信号を狭いゾーンに対応した低感度で検出することにより携帯型端末２の位置情報を取得し、プレゼンスサーバ４に登録し、プレゼンスサーバ４に登録された位置情報を含むプレゼンス情報をネットワークを介して他のユーザの端末１へ提示し、特定のユーザのプレゼンス情報を参照した他のユーザの端末１からの要求に応じて、他のユーザの端末１と特定のユーザの連絡先情報に示された連絡先３との間にネットワークを介して通信セッションを確立する。【選択図】        図１
2004328309.tif 000002
【特許請求の範囲】
【請求項１】
ユーザの状態を表すステータス情報及びユーザの連絡先を表す連絡先情報をユーザの端末からネットワークを介してプレゼンスサーバに登録し、
ユーザの携帯型端末から発信される信号を狭いゾーンに対応した低感度で検出することにより携帯型端末の位置情報を取得し、
携帯型端末の位置情報をユーザの現在の位置情報としてプレゼンスサーバに登録し、
プレゼンスサーバに登録されたユーザのステータス情報、連絡先情報及び位置情報を当該ユーザのプレゼンス情報としてネットワークを介して他のユーザの端末から参照できるようにし、
特定のユーザのプレゼンス情報を参照した他のユーザの端末からの要求に応じて、他のユーザの端末と特定のユーザの連絡先情報に示された連絡先との間にネットワークを介して通信セッションを確立する、
位置情報を用いた通信サービス方法。
【請求項２】
通信セッションは、ネットワーク内の他のユーザの端末と、ゲートウェイ及び公衆網を介してネットワーク外部の特定のユーザの連絡先との間に確立される、請求項１記載の位置情報を用いた通信サービス方法。
【請求項３】
ユーザの状態を表すステータス情報及びユーザの連絡先を表す連絡先情報をユーザの端末からネットワークを介して収集し管理する機能を備えたプレゼンスサーバと、
通信システムを介して通信可能なユーザの携帯型端末から発信される信号を狭いゾーンに対応した低感度で検出することにより携帯型端末の位置情報を取得し、ユーザの位置情報としてプレゼンスサーバに送信する端末位置情報取得システムと、
が設けられ、
プレゼンスサーバは、登録されたユーザのステータス情報、連絡先情報及び位置情報を当該ユーザのプレゼンス情報として、他のユーザの端末から参照できるように、ネットワークを介して他のユーザの端末へ送信し、
特定のユーザのプレゼンス情報を参照した他のユーザの端末からの要求に応じて、他のユーザの端末と特定のユーザの連絡先情報に示された連絡先との間にネットワークを介して通信セッションを確立する機能を備えたセッション・イニシエーション・プロトコル・サーバが更に設けられている、
位置情報を用いた通信サービスシステム。
【請求項４】
セッション・イニシエーション・プロトコル・サーバは、特定のユーザの連絡先がネットワーク外部の連絡先である場合、他のユーザの端末と特定のユーザの連絡先との間にネットワーク、ゲートウェイ及び公衆網を介して通信セッションを確立することが可能である、請求項３記載の位置情報を用いた通信サービスシステム。
【請求項５】
端末位置情報取得システムは、
カバーエリア内の携帯型端末からの位置登録要求信号を受信し上記携帯型端末と無線通信する基地局、及び、移動通信に必要な情報を管理し上記基地局を制御する制御局を備えた移動通信システムと、
上記基地局のカバーエリア内で既知の位置情報と関連付けられた場所に設置され、携帯型端末から送出された位置登録要求信号を上記基地局よりも低い感度で受信し、位置登録要求信号を送出した携帯型端末の識別情報を上記制御局へ通知する低感度基地局と、
を有し、
上記制御局は、
低感度基地局の識別情報と当該低感度基地局の位置情報とを関連付ける位置情報管理部と、
位置登録要求信号を送出した携帯型端末の識別情報を通知した低感度基地局に関連付けられた位置情報を上記位置情報管理部から取得し、上記取得した位置情報を当該携帯型端末の位置情報として携帯型端末の識別情報に関連付ける位置情報取得部と、
位置登録要求信号を送出した携帯型端末の識別情報を移動通信システムのユーザ管理情報と関連付けることにより、携帯型端末の所有者を識別するユーザ識別部と、
を含み、
上記制御局は、該携帯型端末の位置情報と、識別された携帯型端末の所有者に対応するユーザ識別情報を上記プレゼンスサーバへ送信するように構成されている、
請求項３又は４記載の位置情報を用いた通信サービスシステム。
【請求項６】
ユーザの携帯型端末は無線ＬＡＮ端末であり、
端末位置情報取得システムは、
カバーエリア内の無線ＬＡＮ端末と無線リンクを確立し、無線リンクを確立した無線ＬＡＮ端末をネットワークに接続する無線ＬＡＮ基地局と、
上記無線ＬＡＮ基地局に接続され、上記無線ＬＡＮ基地局に接続されている無線ＬＡＮ端末のユーザが正当なユーザであるかどうかを確認する認証サーバと、
正当なユーザであることが確認された認証済みユーザの無線ＬＡＮ端末の端末アドレス及び上記無線ＬＡＮ基地局の無線ＬＡＮ基地局アドレスを上記無線ＬＡＮ基地局から取得し、上記認証済みユーザの認証データを上記認証サーバから取得する管理サーバと、
を有し、
上記管理サーバは、上記認証済みユーザの無線ＬＡＮ端末が接続された上記無線ＬＡＮ基地局の無線ＬＡＮ基地局アドレスから位置情報を生成し、上記認証データからユーザ識別情報を生成し、上記認証済みユーザに関連した位置情報及びユーザ識別情報を上記プレゼンスサーバへ送信するよう構成されている、
請求項３又は４記載の位置情報を用いた通信サービスシステム。
【請求項７】
端末位置情報取得システムは、
ユーザの携帯型端末に取り付けられるか、又は、ユーザによって携帯され、当該ユーザのユーザ識別情報を送信するＩＤ送信機と、
既知の位置情報に関連付けられた場所に設置され、カバーエリア内に存在するユーザのＩＤ送信機から送信された該ユーザのユーザ識別情報を受信し、該既知の位置情報及び該ユーザのユーザ識別情報を上記プレゼンスサーバへ送信するＩＤ受信機と、
を有する、
請求項３又は４記載の位置情報を用いた通信サービスシステム。
【請求項８】
端末位置情報取得システムは、ユーザの携帯型端末に取り付けられ、ＧＰＳ方式で携帯型端末の位置情報を取得する測位部を具備し、
ユーザの携帯型端末は、上記測位部によって取得された位置情報とユーザのユーザ識別情報を上記プレゼンスサーバへ送信するように構成されている、
請求項３又は４記載の位置情報を用いた通信サービスシステム。
【請求項９】
端末位置情報取得システムは、カバーエリア内のユーザの携帯型端末からの位置登録要求信号を受信し上記携帯型端末と無線通信する基地局、及び、移動通信に必要な情報を管理し上記基地局を制御する制御局を備えた移動通信システムにより構成され、
上記制御局は、
上記基地局の識別情報と上記基地局の位置情報とを関連付ける位置情報管理部と、
位置登録要求信号を送出した携帯型端末の識別情報を通知した基地局に関連付けられた位置情報を上記位置情報管理部から取得し、上記取得した位置情報を当該携帯型端末の位置情報として携帯型端末の識別情報に関連付ける位置情報取得部と、
位置登録要求信号を送出した携帯型端末の識別情報を移動通信システムのユーザ管理情報と関連付けることにより、携帯型端末の所有者を識別するユーザ識別部と、
を含み、
上記制御局は、該携帯型端末の位置情報と該端末の識別された所有者に対応するユーザ識別情報を上記プレゼンスサーバへ送信するように構成されている、
請求項３又は４記載の位置情報を用いた情報提供システム。
【発明の詳細な説明】
【０００１】
【発明の属する技術分野】
本発明は、ユーザの状態を表すステータス情報、及び、ユーザの連絡先を表す連絡先情報を含むプレゼンス情報を別のユーザへ通知し、プレゼンス情報に基づいて特定のユーザと別のユーザとの間に通信セッションを確立する通信サービス方法及びシステムに関する。
【０００２】
【従来の技術】
近年、ユーザに他のユーザのステータス情報（例えば、「自宅にいる」、「会議中」、「コーヒーブレーク」など）や望ましい通信手段（例えば、「電話」、「電子メール」など）を提示するプレゼンスサービスが提案されている（例えば、非特許文献１を参照。）。このようなプレゼンス情報をユーザに提供する機能を備えているサーバは、特に、プレゼンスサーバとも呼ばれる。
【０００３】
プレゼンス情報は、インスタント・メッセージ（或いは、インスタンス・メッセージング）サービスとして知られている機構を用いてユーザに提供される。
【０００４】
そして、このプレゼンスサーバと、セッションの確立／変更／切断の機能を備えているセッション・イニシエーション・プロトコル（ＳＩＰ）サーバを組み合わせることにより、例えば、ユーザＡが、ステータス情報が「在席中」であるユーザＢに連絡を取りたいとき、ユーザＡは、ＳＩＰサーバにユーザＢとの通信を依頼することにより、ＳＩＰサーバは、ユーザＡとユーザＢとの間に適当な通信セッション（例えば、チャット、電子メール、ＩＰ電話など）を設定することができる（ＳＩＰサーバについては、例えば、非特許文献２を参照。）。
【０００５】
【非特許文献１】
後藤雅徳、「ＥＮＵＭ、プレゼンスサービス、ＭＩＤＣＯＭの詳細」、ＯＰＥＮＤＥＳＩＧＮ、２００３年３月、ｐ．７０−７４
【０００６】
【非特許文献２】
新堀幸一監訳、「ＳＩＰ入門」、翔泳社、２００２年ｐ．９６−１２２
【０００７】
【発明が解決しようとする課題】
従来のインスタント・メッセージ・サービスで提供されている情報は、オンラインやオフラインなどのユーザが使用している端末の状況に関する情報、或いは、忙しい、一時離席中、離席中、昼休み中などのようにユーザの状況に関する情報だけである。
【０００８】
しかしながら、ユーザの状態・状況を表す情報として、ユーザの現在位置情報は利用価値の高い情報であると考えられる。例えば、特定のユーザの現在位置を知ることにより、別のユーザは、その特定のユーザの現在位置或いはその周辺における情報を入手するために、その特定のユーザとの通信を特に望む場合がある。
【０００９】
そこで、本発明は、ユーザのステータス情報及び連絡先情報の他に、ユーザの現在位置を表す位置情報をプレゼンス情報としてユーザに提示することができる位置情報に基づく通信サービス方法及び通信サービスシステムの提供を目的とする。
【００１０】
【課題を解決するための手段】
本発明は、通信システムと移動体の位置検出システムとを組み合わせることによりユーザの位置情報を取得し、この位置情報をプレゼンスシステムに提供することによって、位置情報を用いた通信サービス方法及び通信サービスシステムを実現する。
【００１１】
請求項１に係る発明は、ユーザの状態を表すステータス情報及びユーザの連絡先を表す連絡先情報をユーザの端末からネットワークを介してプレゼンスサーバに登録し、
ユーザの携帯型端末から発信される信号を狭いゾーンに対応した低感度で検出することにより携帯型端末の位置情報を取得し、
携帯型端末の位置情報をユーザの現在の位置情報としてプレゼンスサーバに登録し、
プレゼンスサーバに登録されたユーザのステータス情報、連絡先情報及び位置情報を当該ユーザのプレゼンス情報としてネットワークを介して他のユーザの端末から参照できるようにし、
特定のユーザのプレゼンス情報を参照した他のユーザの端末からの要求に応じて、他のユーザの端末と特定のユーザの連絡先情報に示された連絡先との間にネットワークを介して通信セッションを確立する、
位置情報を用いた通信サービス方法である。
【００１２】
このように、請求項１に係る発明によれば、高精度で検出されたユーザの携帯型端末の位置情報をユーザの位置情報として他のユーザへ提示することが可能になる。そして、ネットワーク内のユーザ間での通信サービスを提供することができる。
【００１３】
本発明によれば、更に、通信セッションは、ネットワーク内の他のユーザの端末と、ゲートウェイ及び公衆網を介してネットワーク外部の特定のユーザの連絡先との間に確立される。
【００１４】
これにより、ネットワーク（例えば、ＩＰ網）から公衆網（例えば、公衆電話網）への通話がゲートウェイを介して可能になる。
【００１５】
請求項３に係る発明は、ユーザの状態を表すステータス情報及びユーザの連絡先を表す連絡先情報をユーザの端末からネットワークを介して収集し管理する機能を備えたプレゼンスサーバと、
通信システムを介して通信可能なユーザの携帯型端末から発信される信号を狭いゾーンに対応した低感度で検出することにより携帯型端末の位置情報を取得し、ユーザの位置情報としてプレゼンスサーバに送信する端末位置情報取得システムと、
が設けられ、
プレゼンスサーバは、登録されたユーザのステータス情報、連絡先情報及び位置情報を当該ユーザのプレゼンス情報として、他のユーザの端末から参照できるように、ネットワークを介して他のユーザの端末へ送信し、
特定のユーザのプレゼンス情報を参照した他のユーザの端末からの要求に応じて、他のユーザの端末と特定のユーザの連絡先情報に示された連絡先との間にネットワークを介して通信セッションを確立する機能を備えたセッション・イニシエーション・プロトコル・サーバが更に設けられている、
位置情報を用いた通信サービスシステムである。
【００１６】
このように、請求項３に係る発明によれば、端末位置情報取得システムは、移動通信システムのユーザの携帯型端末がどのスポットに位置的に属しているか、すなわち、どのユーザがどのスポットに居るか、を示す情報を収集し、プレゼンスサーバへ供給する。プレゼンスサーバは、高精度で検出されたユーザの携帯型端末の位置情報をユーザの位置情報として他のユーザへ提示することが可能になる。そして、ネットワーク内のユーザ間での通信サービスを提供することができる。
【００１７】
本発明の通信サービスシステムにおいて、更に、セッション・イニシエーション・プロトコル・サーバは、特定のユーザの連絡先がネットワーク外部の連絡先である場合、他のユーザの端末と特定のユーザの連絡先との間に別のネットワーク、ゲートウェイ及び公衆網を介して通信セッションを確立することが可能である。
【００１８】
これにより、ネットワーク（例えば、ＩＰ網）から公衆網（例えば、公衆電話網）への通話がゲートウェイを介して可能になる。
【００１９】
本発明の通信サービスシステムの端末位置情報取得システムは、請求項５に記載の低感度基地局方式、請求項６に記載の無線ＬＡＮ方式、請求項７に記載のＩＤ送受信方式、請求項８に記載のＧＰＳ方式、或いは、請求項９に記載のＰＨＳ方式のうちの一つの方式を利用して端末の位置を検出することができる。
【００２０】
請求項５に係る発明によれば、端末位置情報取得システムは、
カバーエリア内の携帯型端末からの位置登録要求信号を受信し上記携帯型端末と無線通信する基地局、及び、移動通信に必要な情報を管理し上記基地局を制御する制御局を備えた移動通信システムと、
上記基地局のカバーエリア内で既知の位置情報と関連付けられた場所に設置され、携帯型端末から送出された位置登録要求信号を上記基地局よりも低い感度で受信し、位置登録要求信号を送出した携帯型端末の識別情報を上記制御局へ通知する低感度基地局と、
を有し、
上記制御局は、
低感度基地局の識別情報と当該低感度基地局の位置情報とを関連付ける位置情報管理部と、
位置登録要求信号を送出した携帯型端末の識別情報を通知した低感度基地局に関連付けられた位置情報を上記位置情報管理部から取得し、上記取得した位置情報を当該携帯型端末の位置情報として携帯型端末の識別情報に関連付ける位置情報取得部と、
位置登録要求信号を送出した携帯型端末の識別情報を移動通信システムのユーザ管理情報と関連付けることにより、携帯型端末の所有者を識別するユーザ識別部と、
を含み、
上記制御局は、該携帯型端末の位置情報と、識別された携帯型端末の所有者に対応するユーザ識別情報を上記プレゼンスサーバへ送信するように構成されている。
【００２１】
請求項６に係る発明によれば、ユーザの携帯型端末は無線ＬＡＮ端末であり、
端末位置情報取得システムは、
カバーエリア内の無線ＬＡＮ端末と無線リンクを確立し、無線リンクを確立した無線ＬＡＮ端末をネットワークに接続する無線ＬＡＮ基地局と、
上記無線ＬＡＮ基地局に接続され、上記無線ＬＡＮ基地局に接続されている無線ＬＡＮ端末のユーザが正当なユーザであるかどうかを確認する認証サーバと、
正当なユーザであることが確認された認証済みユーザの無線ＬＡＮ端末の端末アドレス及び上記無線ＬＡＮ基地局の無線ＬＡＮ基地局アドレスを上記無線ＬＡＮ基地局から取得し、上記認証済みユーザの認証データを上記認証サーバから取得する管理サーバと、
を有し、
上記管理サーバは、上記認証済みユーザの無線ＬＡＮ端末が接続された上記無線ＬＡＮ基地局の無線ＬＡＮ基地局アドレスから位置情報を生成し、上記認証データからユーザ識別情報を生成し、上記認証済みユーザに関連した位置情報及びユーザ識別情報を上記プレゼンスサーバへ送信するよう構成されている。
【００２２】
請求項７に係る発明によれば、端末位置情報取得システムは、
ユーザの携帯型端末に取り付けられるか、又は、ユーザによって携帯され、当該ユーザのユーザ識別情報を送信するＩＤ送信機と、
既知の位置情報に関連付けられた場所に設置され、カバーエリア内に存在するユーザのＩＤ送信機から送信された該ユーザのユーザ識別情報を受信し、該既知の位置情報及び該ユーザのユーザ識別情報を上記プレゼンスサーバへ送信するＩＤ受信機と、
を有する。
【００２３】
請求項８に係る発明によれば、端末位置情報取得システムは、ユーザの携帯型端末に取り付けられ、ＧＰＳ方式で携帯型端末の位置情報を取得する測位部を具備し、
ユーザの携帯型端末は、上記測位部によって取得された位置情報とユーザのユーザ識別情報を上記プレゼンスサーバへ送信するように構成されている。
【００２４】
請求項９に係る発明によれば、端末位置情報取得システムは、カバーエリア内のユーザの携帯型端末からの位置登録要求信号を受信し上記携帯型端末と無線通信する基地局、及び、移動通信に必要な情報を管理し上記基地局を制御する制御局を備えた移動通信システムにより構成され、
上記制御局は、
上記基地局の識別情報と上記基地局の位置情報とを関連付ける位置情報管理部と、
位置登録要求信号を送出した携帯型端末の識別情報を通知した基地局に関連付けられた位置情報を上記位置情報管理部から取得し、上記取得した位置情報を当該携帯型端末の位置情報として携帯型端末の識別情報に関連付ける位置情報取得部と、
位置登録要求信号を送出した携帯型端末の識別情報を移動通信システムのユーザ管理情報と関連付けることにより、携帯型端末の所有者を識別するユーザ識別部と、
を含み、
上記制御局は、該携帯型端末の位置情報と該端末の識別された所有者に対応するユーザ識別情報を上記プレゼンスサーバへ送信するように構成されている。
【００２５】
【発明の実施の形態】
以下、添付図面を参照して本発明の種々の実施例を詳細に説明する。全ての図面を通じで、同一若しくは同等の構成要素又は機能には、同じ参照番号が付けられている。
【００２６】
図１は、本発明の第１実施例による位置情報を用いた通信サービスシステムの構成図である。通信サービスシステムには、あるユーザ（例えば、ユーザＡ）が自分のプレゼンス情報を登録し、別のユーザ（例えば、ユーザＢ）によって登録されたプレゼンス情報を参照するため利用する端末１、３、．．．が設けられている。端末１は、図示されないネットワーク（例えば、ＩＰネットワーク）に接続され、端末同士は、ネットワーク経由で通信可能である。また、通信サービスシステムは、多数のユーザ（ユーザＡ、ユーザＢ，．．．）の状態を表すステータス情報及びユーザの連絡先を表す連絡先情報をユーザの端末１からネットワーク（例えば、インターネット）を介して収集し管理する機能を備えたプレゼンスサーバ４を含む。プレゼンスサーバ４は、特定のユーザがＩＰネットワークに接続しているのか否か、特定のユーザがどのような状態（多忙中など）であるかのような相手の状態と、相手がどのような通信（例えば、電話、電子メールなど）を望んでいるかを、別のユーザに報せたり、教えたりする機能を実現する。
【００２７】
更に、通信サービスシステムには、通信システム（図示しない）を介して通信可能なユーザの携帯型端末２から発信される信号を狭いゾーンに対応した低感度で検出することにより携帯型端末２の位置情報を取得し、ユーザの位置情報としてプレゼンスサーバ４に送信する端末位置情報取得システム６が設けられる。プレゼンスサーバ４は、登録されたユーザＢのステータス情報、連絡先情報及び位置情報をユーザＢのプレゼンス情報として、他のユーザＡの端末１から参照できるようにネットワークを介して他のユーザＡの端末１へ送信する。
【００２８】
通信サービスシステムは、ＩＰネットワーク上で、電話の呼設定を実現するためのプロトコルを実装しているセッション・イニシエーション・プロトコル・サーバ５を更に含む（以下の説明では、セッション・イニシエーション・プロトコル・サーバは、簡単のためＳＩＰサーバと表す。）。ＳＩＰサーバ５は、特定のユーザＢのプレゼンス情報を参照した他のユーザＡの端末１からの要求に応じて、他のユーザＡの端末１と特定のユーザＢの連絡先情報に示された連絡先（例えば、端末３）との間にネットワークを介して通信セッションを確立する機能を備えている。ＳＩＰサーバ５は、一般の電話サービスがもつ基本的な呼設定機能の他に、着信課金機能や転送機能、発信者番号通知機能などをＩＰネットワーク上で実現することができる。
【００２９】
このようにして、本発明の一実施例による位置情報を用いた通信サービスシステムでは、端末位置情報取得システム６が、移動通信システムのユーザの携帯型端末２がどのスポットに位置的に属しているか、すなわち、どのユーザがどのスポットに居るか、を示す情報を収集し、プレゼンスサーバ４へ供給する。プレゼンスサーバ４は、高精度で検出されたユーザ（例えば、ユーザＢ）の携帯型端末の位置情報をユーザの位置情報として他のユーザ（例えば、ユーザＡ）へ提示することが可能になる。そして、ネットワーク内のユーザ間（例えば、ユーザＡＢ間）での通信サービスを提供することができる。
【００３０】
ユーザＢは、端末位置情報取得システム６による位置情報の収集が行えるように、携帯電話機、無線ＬＡＮ端末、ＩＤ送信機付きの携帯型端末、ＧＰＳ機能付きの携帯型端末、若しくは、ＰＨＳ端末のような携帯型端末２を携帯している。ユーザＡとユーザＢの間の通信は、ユーザＡの端末１とユーザＢの端末３の間で行われる。ここで、ユーザＢの端末３として、オフィス等に存在するネットワークに接続したデスクトップ型端末が利用され得るが、携帯型端末２の備えている通信機能を利用してユーザＡの端末１に接続して通信することも可能である。一方、ユーザＡの端末１は、典型的には、ネットワークに接続されたデスクトップ型端末やノート型端末のような端末であるが、ユーザＢの場合と同様に、位置検出機能を備えた携帯型端末でも構わない。ユーザＡとユーザＢの通信が１対１通信である場合には、ユーザの端末１と端末３は、ＳＩＰサーバ５と通信した後、ピア・ツー・ピア通信に遷移する。
【００３１】
図２は、本発明の一実施例によるプレゼンスサーバ４のブロック構成図である。同図に示されるように、プレゼンスサーバ４は、端末位置情報取得システム６からユーザの携帯型端末２の位置情報及びユーザ識別情報を取得する位置情報収集部４１と、ユーザの端末１からユーザのステータス情報及び連絡先情報を取得し登録する情報登録部４２と、ユーザのステータス情報、連絡先情報、及び、位置情報を管理するプレゼンス情報管理部４３と、ユーザの端末１からの要求に応じて、ユーザのプレゼンス情報を端末１へ送信するプレゼンス情報提示部４４と、ＳＩＰサーバ５からの要求に応じて、ＳＩＰサーバ５へユーザの連絡先情報を通知する連絡先情報通知部４５と、を含む。
【００３２】
図３は、本発明の第１実施例による位置情報を用いた通信サービスシステムの動作フローチャートである。
【００３３】
ステップ１：プレゼンスサーバ４は、ユーザの端末１からネットワークを介して送信されたユーザの状態を表すステータス情報及びユーザの連絡先を表す連絡先情報を登録する。
【００３４】
ステップ２：端末位置情報取得システム６は、ユーザの携帯型端末２から発信される信号を狭いゾーンに対応した低感度で検出し、携帯型端末２の位置情報を取得する。
【００３５】
ステップ３：プレゼンスサーバ４は、端末位置情報取得システム６から携帯型端末２の位置情報を受け取り、ユーザの現在の位置情報として登録する。
【００３６】
ステップ４：プレゼンスサーバ４は、登録されたユーザのステータス情報、連絡先情報及び位置情報をユーザのプレゼンス情報としてネットワークを介して他のユーザの端末１から参照できるようにする。
【００３７】
ステップ５：ＳＩＰサーバ５は、特定のユーザのプレゼンス情報を参照した他のユーザの端末１からの要求に応じて、他のユーザの端末１と特定のユーザの連絡先情報に示された連絡先（端末３）との間にネットワークを介して通信セッションを確立する。
【００３８】
図４は、本発明の第１実施例による位置情報を用いた通信サービスシステムの動作シーケンスの説明図である。ここでは、ユーザＡとユーザＢの二人のユーザ間でピア・ツー・ピアの通信セッションを確立する例について説明するが、当業者に明らかであるように、本例は、三人以上のユーザがチャットのような形式で通信をするように容易に拡張可能である。
【００３９】
最初に、ユーザＡは端末Ａから自分のステータス情報や連絡先情報をプレゼンスサーバ４に登録し、ユーザＢは、端末Ｂから自分のステータス情報や連絡先情報をプレゼンスサーバ４に登録する（ステップ１１）。
【００４０】
ステータス情報は、例えば、「在席中」、「一時離席中」、「休憩中」、「オンライン」、「オフライン」、「電話連絡不可」、「手が離せない状態（多忙）」などのユーザ、或いは、ユーザの端末の現在の状態を表す情報である。一方、連絡先情報は、ユーザの電子メールアドレス、直通電話番号、携帯電話番号等の情報である。
【００４１】
次に、例えば、ユーザＢは、第１号館の第１号室の自席を離れて、第２号館の食堂へ移動したとき、自分のステータス情報を「在席中」から「休憩中」に更新する（ステップ１２）。食堂で食事を始めたユーザＢは、ここで、自分の携帯型端末２を食堂内の無線ＬＡＮに接続した場合を考える。
【００４２】
このとき、自動的に、或いは、ユーザＢの指示に従って、ユーザＢの携帯型端末２から発信された信号が端末位置情報取得システム６によって検出され、ユーザＢの携帯型端末２の位置情報とユーザＢのユーザ識別情報がプレゼンスサーバ４へ送信される（ステップ１３）。このとき、携帯型端末２の位置情報は、例えば、端末位置情報取得システム６の感度に応じて、「第２号館」或いは「食堂」のようなゾーンとして取得される。
【００４３】
プレゼンスサーバ４は、受信した位置情報及びユーザ識別情報に基づいて、ユーザＢの位置情報を「第１号館・第１号室」から「第２号館・食堂」のように変更する。
【００４４】
次に、ユーザＡの端末Ａからプレゼンスサーバ４に対してプレゼンス情報が要求されると（ステップ１４）、プレゼンスサーバ４から端末Ａへ登録されている全ユーザ、或いは、一部の指定されたユーザのプレゼンス情報が提示される（ステップ１５）。ユーザＡは、多数のユーザのプレゼンス情報を取得することができる。ユーザＡは、提示されたプレゼンス情報に基づいて、特定の場所にいる人との通信を要求することが可能になる。
【００４５】
ここで、例えば、これから食堂で食事をする予定のユーザＡは、プレゼンス情報の中から、現在食堂に居る人を探すと、ユーザＢが「第２号館・食堂」に居ることが分かるので、端末ＡからＳＩＰサーバ５に対して、ユーザＢへの接続を要求する（ステップ１６）。
【００４６】
ユーザＡからユーザＢへの接続要求を受信したＳＩＰサーバ５は、プレゼンスサーバ４に対して、ユーザＢのプレゼンス情報を要求する（ステップ１７）。
【００４７】
プレゼンスサーバ４は、ユーザＢのプレゼンス情報として、「休憩中」というステータス情報、「第２号館・食堂」という位置情報、及び、ユーザＢの携帯型端末の識別番号を含む連絡先情報をＳＩＰサーバ５へ通知する（ステップ１８）。
【００４８】
ＳＩＰサーバ５は、ユーザＢの連絡先として利用可能な媒体を探す。本例の場合、ユーザＢは、位置情報から食堂に居ることが分かるので、食堂内に設置された無線ＬＡＮ基地局にユーザＢの携帯型端末２が接続されているかどうかを携帯型端末２の識別番号を用いて調べる。ここで、ＳＩＰサーバ５は、ユーザＢの携帯型端末２が食堂内の無線ＬＡＮ基地局に接続されていることが分かるので、ユーザＢの連絡先として、食堂内無線ＬＡＮ基地局に接続されたユーザＢの携帯型端末２を選択し、このユーザＢの携帯型端末２に対して、ユーザＡからの接続要求を通知し（ステップ１９）、ユーザＡの端末ＡとユーザＢの携帯型端末２との間に通信セッションを確立する（ステップ２０）。
【００４９】
これにより、ユーザＡとユーザＢは、チャット、或いは、ＩＰ電話のような方式で通信することが可能になり、例えば、ユーザＡは、ユーザＢに対して、食堂の混雑状況を問い合わせることができる。
【００５０】
尚、ユーザが別の場所に移動して別の場所に設置されている端末から接続しているような場合でも、ＳＩＰサーバ５が実際の装置アドレスやポート番号を検出して、正しく通信セッションを確立することが可能である。
【００５１】
次に、端末位置情報取得システム６として低感度基地局が設置された移動通信システムを利用する本発明の通信サービスシステムの一実施例を説明する。
【００５２】
図５は、本発明の第２実施例による位置情報を用いる通信サービスシステムの構成図である。本実施例では、端末位置情報取得システム６は、移動通信システム６０と低感度基地局６４とにより構成される。プレゼンスサーバ４と、端末１及び端末３は、インターネットを利用して通信可能に接続されている。
【００５３】
移動通信システム６０は、カバーエリア６３内の携帯型端末２からの位置登録要求信号を受信し上記携帯型端末２と無線通信する基地局６１、及び、移動通信に必要な情報を管理し上記基地局６１を制御する制御局６２を備えている。
【００５４】
低感度基地局６４は、上記基地局６１のカバーエリア６３内で既知の位置情報と関連付けられた場所に設置され、携帯型端末２から送出された位置登録要求信号を上記基地局６１よりも低い感度で受信し、位置登録要求信号を送出した携帯型端末２の識別情報（電話番号、メールアドレス、端末ＭＡＣアドレス等）を上記制御局６２へ通知する。本発明の実施例の説明中、端末の識別情報、或いは、端末識別情報は、電話番号、メールアドレス、端末ＭＡＣアドレス等を含む。低感度基地局６４は、低感度の受信専用の基地局であり、検出範囲を狭めることにより、すなわち、検出エリアをスポット的にすることにより、位置検出精度を等価的に向上させる。本実施例における制御局６２は、この低感度基地局６４で携帯型端末２からの位置登録要求信号を検出することによって、通常の通話サービスで用いられる位置管理情報とは独立に、検出範囲の狭い位置管理を行う。
【００５５】
図６は、本発明の第２実施例における制御局６２の構成図である。上記制御局６２は、低感度基地局６４の識別情報と当該低感度基地局６４の位置情報とを関連付ける位置情報管理部６２１と、位置登録要求信号を送出した携帯型端末２の識別情報を通知した低感度基地局６４に関連付けられた位置情報を上記位置情報管理部６２１から取得し、上記取得した位置情報を当該携帯型端末２の位置情報として当該携帯型端末２の識別情報に関連付ける位置情報取得部６２２と、を含む。制御局６２は、位置登録要求信号を送出した携帯型端末２の識別情報を移動通信システム６０のユーザ管理情報と関連付けることにより、携帯型端末２の所有者を識別するユーザ識別部６２３を更に具備する。
【００５６】
本実施例は、受信専用の低感度基地局６４を設置することによって、位置検出範囲を狭め、結果として位置検出精度を高精度化する。さらに、低感度基地局６４は、受信機能に限定できるので既存の携帯電話基地局６１や他の無線システムへの干渉の問題がなく、かつ、低コスト化可能であるため、既存の基地局や設備を活用してシステムを構築することができる。また、携帯電話システムのような移動通信システムを利用することによって、例えば、電話番号等からユーザ識別を行うことができる。
【００５７】
また、低感度基地局６４の識別情報には低感度基地局の位置（情報）がリンクされているので、低感度基地局の識別情報から携帯型端末の位置情報が取得できる。これにより、本実施例の端末位置情報取得システムは、特に、携帯電話システムのような既設の移動通信システムに低コストで導入することが可能になる。
【００５８】
上記低感度基地局６４は、在圏するカバーエリアが変化したときに携帯型端末２から送信される位置登録要求信号、及び／又は、端末、即ち、携帯型端末２から定期的に送信される位置登録要求信号を受信する。携帯型端末２が位置登録要求信号を定期的に送信することにより、特に、携帯型端末２が基地局６１のカバーエリア６３内の複数の低感度基地局カバーエリア７を移動する場合でも、携帯型端末位置を検出できるようになる。
【００５９】
或いは、携帯型端末２は、ユーザの操作に応じて位置登録要求信号を送信するように構成してもよい。この場合、携帯型端末２は、定期的に位置登録要求信号を送信するモードと、ユーザの操作に応じて位置登録要求信号を送信するモードと、を具備することが好適である。
【００６０】
図７は、本発明の第２実施例における低感度基地局６４の概略図である。低感度基地局６４は、携帯型端末２からの位置登録要求信号を受信する感度を変更できるように構成されている。これにより、端末位置情報取得システムは、検出範囲（検出精度）の変更が可能になる。また、低感度基地局６４は、受信感度を変更できるようにするため、アンテナ利得を変更できる受信アンテナ６４１を具備する。低感度基地局６４は、受信感度を変更できるようにするため、受信アンテナ６４１を交換することによりアンテナ利得を変更できるように構成してもよい。さらに、低感度基地局６４は、受信感度を変更できる受信機６４２を具備する。低感度基地局６４は、信号復調部６４３と多重化装置６４４をさらに具備し、低感度基地局６４の中で携帯型端末２からの無線信号を復調し、複数のユーザ端末から送信される位置登録要求信号の中に含まれる端末識別情報等の必要な情報を多重化して制御局６２に送信する。
【００６１】
図８は、本発明の第２実施例において端末位置情報取得システム６で行われる端末位置検出方法のフローチャートである。本実施例の端末位置検出方法は、カバーエリア６３内の携帯型端末２からの位置登録要求信号を受信し上記携帯型端末２と無線通信する基地局６１、及び、移動通信に必要な情報を管理し上記基地局６１を制御する制御局６２を備えた移動通信システム６０において、携帯型端末２の位置を検出する。
【００６２】
本実施例の端末位置検出方法によれば、上記基地局６１のカバーエリア６３内で既知の位置情報と関連付けられた場所に設置され、上記基地局６１よりも低い感度で位置登録要求信号を受信する上記低感度基地局６４が携帯型端末２から送出された位置登録要求信号を受信する（ステップ２１）。
【００６３】
携帯型端末２は、在圏するカバーエリアが変化したとき、定期的、或いは、ユーザの操作に応じて位置登録要求信号を送信する。
【００６４】
低感度基地局６４は、位置登録要求信号を送出した携帯型端末２の識別情報を制御局６２へ通知する（ステップ２２）。
【００６５】
制御局６２は、携帯型端末２の識別情報を通知した低感度基地局６４に関連した既知の位置情報を、当該携帯型端末２の位置情報として取得する（ステップ２３）。
【００６６】
さらに、制御局６２は、位置登録要求信号を送出した携帯型端末２の識別情報を移動通信システムのユーザ管理情報と関連付けることにより、携帯型端末２の所有者を識別する（ステップ２４）。
【００６７】
本発明の第２実施例において、基地局６１のカバーエリア６３には、例えば、企業の社屋、社屋の区画、レストラン街や商店街、観光地、駅構内などが含まれるが、これらの例に限定されるものではない。
【００６８】
移動通信システム６０の一例は、現在の携帯電話システムである。移動通信システム６０として、携帯電話システムを採用した場合、携帯型端末２は、上述の如く携帯電話機である。携帯型端末２は、基地局６１からの報知情報等に応答して、適宜位置登録要求信号を発信し、自端末の位置を制御局６２へ登録している。携帯電話システムのような移動通信システム６０では、使用可能な携帯型端末２が、その携帯型端末２の保有者（すなわち、ユーザ）の情報と共に登録されている。よって、情報提供システムのメンバーの端末として、移動通信システム６０で利用可能な携帯型端末２を指定することによって、自動的にユーザ認証がなされる、という利点が得られる。
【００６９】
携帯電話システムにおける位置登録処理については、例えば、文献：立川監修、”Ｗ−ＣＤＭＡ移動通信方式”、丸善、２００１年、ｐｐ．２５０−２５３と、文献：服部編著、”ワイヤレス・ブロードバンド教科書”、ＩＤＧジャパン、２００２年、ｐｐ．３２−３５に記載されている。
【００７０】
以下では、端末位置情報取得システム６の様々な構成に対応した本発明の情報提供システムの種々の実施例を説明する。以下の種々の実施例において、情報提供システムの端末位置情報取得システムを除く部分の構成、機能は、上述の本発明の第２実施例による情報提供システムの部分と基本的に同じであるため、繰り返して説明をしない。以下の記述では、主として、各実施例の端末位置情報取得システムについて説明する。
【００７１】
図９は、本発明の第３実施例による位置情報を用いる通信サービスシステムの構成図である。本実施例では、端末位置情報取得システム６は、無線ＬＡＮシステム７０をベースにして構成される。同図に示された例では、携帯型端末２は、無線ＬＡＮシステム７０内の無線ＬＡＮ端末である。携帯型端末２は、ユーザの端末３と同一のものでも構わない。プレゼンスサーバ４と端末１及び３は、例えば、インターネットを介して通信可能である。
【００７２】
本実施例において端末位置情報取得システムを構成する無線ＬＡＮシステム７０は、カバーエリア７２内の無線ＬＡＮ端末２と無線リンクを確立し、無線リンクを確立した無線ＬＡＮ端末２をネットワークに接続する一つ以上の無線ＬＡＮ基地局７１を有する。無線ＬＡＮシステム７１の事業者の局舎内、例えば、データセンター等には認証サーバ７３が設置される。認証サーバ７３は、多数の無線ＬＡＮ基地局７１に接続され、無線ＬＡＮ基地局７１から送信される認証データを認証する（無線ＬＡＮ基地局７１に接続されている無線ＬＡＮ端末２のユーザが正当なユーザであるかどうかを確認する）。無線ＬＡＮ基地局７２は、例えば、レストラン街、商店街、個々のレストラン、個々の店舗、或いは、観光地などに設置されている。無線ＬＡＮ端末２は、例えば、レストラン街、商店街、個々のレストラン、個々の店舗、或いは、観光地などを訪れる個人（ユーザ）が携帯している。
【００７３】
端末位置情報取得システム６は、正当なユーザであることが確認された認証済みユーザの無線ＬＡＮ端末２の端末識別情報及び上記認証済みユーザの認証データを上記無線ＬＡＮシステム７０から取得する管理サーバ７４を含む。無線ＬＡＮ基地局７２及び管理サーバ７４は、プレゼンスサーバ４にネットワーク経由で接続される。
【００７４】
上記管理サーバ７４は、上記認証済みユーザの無線ＬＡＮ端末２が接続されている無線ＬＡＮ基地局７１の位置から位置情報を生成し、上記認証データからユーザ識別情報を生成し、上記認証済みユーザに関連した位置情報及びユーザ識別情報を上記プレゼンスサーバ４へ送信する。
【００７５】
管理サーバ７４は、位置情報を管理する部分と、個人情報を管理する部分とにより構成することができる。位置情報管理部では、無線ＬＡＮ基地局７１からの識別情報、例えば、無線ＬＡＮ基地局７１のアドレス情報によって、無線ＬＡＮ基地局７１に接続している無線ＬＡＮ端末２の現在位置、すなわち、ユーザの現在位置を特定することができる。ユーザの現在位置情報は、無線ＬＡＮ基地局の設置場所の経度・緯度と関連付ける方式（Ａ方式）と、無線ＬＡＮ基地局の識別番号と関連付ける方式（Ｂ方式）と、が考えられる。
【００７６】
Ａ方式の場合、プレゼンスサーバ４において、端末位置情報取得システム６から取得された経度・緯度に対して、所定の距離の範囲内に存在する既知の特定の場所が関連付けられ、その特定の場所がユーザの位置情報として設定される。
【００７７】
Ｂ方式の場合、プレゼンスサーバ４では、予め指定された特定の場所を無線ＬＡＮ基地局の識別番号と関連付け、特定の場所に対応する識別番号を有する無線ＬＡＮ基地局のカバーエリア内に在圏するユーザの位置情報としてその特定の場所を設定する。
【００７８】
図１０は、本発明の第４実施例による位置情報を用いる通信サービスシステムの構成図である。本実施例では、端末位置情報取得システム６は、ＩＤ送信機とＩＤ受信機とにより構成される。端末１及び端末３は、インターネットを介してプレゼンスサーバ４及びＳＩＰサーバ５に接続される。携帯型端末２には、ＩＤ送信機８３が設けられる。ＩＤ送信機８３は、携帯電話機が送信する信号とは別に、携帯電話機の所有者、即ち、本実施例の場合、ユーザの個別のＩＤのようなユーザ識別情報を送信する。ＩＤ受信機８１は、店舗、ビル、駅構内、商店街、街頭など色々な場所に設置され、ＩＤ送信機８３が送信するユーザ識別情報を受信する。ＩＤ受信機８１の設置場所は既知であるため、ＩＤ受信機８１は、ＩＤ受信機８１のカバーエリア８２内に在圏するＩＤ送信機８３から送信されたユーザ識別情報と、ＩＤ受信機８１の既知の位置情報をプレゼンスサーバ４へ送信する。これにより、プレゼンスサーバ４は、携帯型端末２の現在位置を把握することができる。尚、ユーザ識別情報と、端末の加入者番号或いはメールアドレスは、プレゼンスサーバ４側でユーザ登録の際に関連付けられている。
【００７９】
ＩＤ送信機８３は、非接触式のタグ、例えば、無線タグ、すなわち、ＲＦＩＤ（Ｒａｄｉｏ  Ｆｒｅｑｕｅｎｃｙ  ＩＤｅｎｔｉｆｉｃａｔｉｏｎ）タグにより実現することができる。また、ＩＤ受信機８１は、ＲＦＩＤタグのリーダにより実現することが可能である。ＲＦＩＤは、情報を内部の回路に記憶し、外部のリーダとの間で非接触に無線交信して認識を行う技術である。ＲＦＩＤの方式として、電磁誘導方式、電磁結合方式、或いは、マイクロ波方式などが知られている。非接触式タグの他の例には、無線送信部（赤外線デバイスなど）が含まれる。
【００８０】
ＲＦＩＤタグには、能動型と受動型の二つのタイプがある。電池を内蔵する能動型のＲＦＩＤタグと、電池は持たずに電磁誘導を利用する受動型のＲＦＩＤは、電池の有無によって通信距離が異なる。
【００８１】
ＩＤ受信機８１はＩＤ送信機８３に対応する。ＩＤ送信機８３としてＲＦＩＤタグが利用される場合、ＩＤ受信機８１はタグリーダ／ライタであり、ＩＤ送信機８３として赤外線送信機が使用される場合には、ＩＤ受信機８１は赤外線受信機である。
【００８２】
図１１は、本発明の第５実施例による位置情報を用いる通信サービスシステムの構成図である。本実施例では、端末位置情報取得システム６は、携帯型端末２に設けられたＧＰＳ方式測位部９１により構成される。ＧＰＳ方式の測位法については公知であるため、これ以上の説明を加えない。情報提供側端末２は、ＧＰＳ方式測位部９１によって取得された位置情報と、ユーザのユーザ識別情報を、プレゼンスサーバ４の位置情報収集部４１へ送信する。
【００８３】
本発明の第５実施例による通信サービスシステムでは、端末位置情報取得システム６は、携帯型端末２に機能的に一体化されているので、端末位置情報取得システム６の設備使用料は別途発生しない。
【００８４】
図１２は、本発明の第６実施例による位置情報を用いる通信サービスシステムの構成図である。本実施例では、端末位置情報取得システム６は、移動通信システム６０自体によって実現される。より具体的には、端末位置情報取得システム６は、カバーエリア６３内の携帯型端末２からの位置登録要求信号を受信し上記携帯型端末２と無線通信する基地局６１、及び、移動通信に必要な情報を管理し上記基地局６１を制御する制御局６２を備えた移動通信システム６０により構成される。この場合、携帯型端末２は、例えば、ＰＨＳ端末である。携帯型端末２の位置情報は、ＰＨＳ方式移動通信システム６０において、当該携帯型端末２が在圏している基地局６１の設置されている場所の位置情報と対応付けられる。
【００８５】
制御局６２は、基地局６１の識別情報と基地局６１の位置情報とを関連付ける位置情報管理部と、位置登録要求信号を送出した携帯型端末２の識別情報を通知した基地局６１に関連付けられた位置情報を位置情報管理部から取得し、取得した位置情報を携帯型端末２の位置情報として端末の識別情報に関連付ける位置情報取得部と、位置登録要求信号を送出した携帯型端末２の識別情報を移動通信システム６０のユーザ管理情報と関連付けることにより、携帯型端末２の所有者を識別するユーザ識別部と、を含む。制御局６２は、携帯型端末２の位置情報と携帯型端末２の識別された所有者に対応するユーザ識別情報をプレゼンスサーバ４の位置情報収集部４１へ送信するように構成されている。
【００８６】
図１３は、本発明の第７実施例による位置情報を用いた通信サービスシステムの構成図である。本発明の第７実施例は、本発明の第１実施例と類似しているが、通信セッションが、ネットワーク内の他のユーザの端末１と、メディアゲートウェイ８及び公衆電話網９を介してネットワーク外部の特定のユーザの連絡先（端末３）との間に確立される点で本発明の第１実施例とは相違する。例えば、ネットワーク内のユーザＡとして、オフィスに存在するネットワークに接続したデスクトップ型若しくはノートブック型の端末の利用者を想定する。また、ネットワーク外部のユーザＢとして、携帯電話機若しくはＰＨＳ端末の所有者、又は、公衆電話機の利用者を想定することができる。メディアゲートウェイ８は、既存公衆網９と接続する際に、ＩＰアドレスと電話番号の変換、プロトコル変換、メディア変換などを行うゲートウェイである。これにより、個別のネットワーク（例えば、個別ＩＰ網）から公衆電話網９への通話がメディアゲートウェイ８を介して可能になる。
【００８７】
以上の通り、本発明の種々の実施例では、ユーザは、低感度基地局を用いた携帯電話機、無線ＬＡＮ端末、ＩＤ送信機＋ＩＤ受信機と組み合わせた携帯電話機、ＧＰＳ付き携帯電話機、ＰＨＳ端末などの低感度の位置検出機能を備えた携帯型端末を携帯し、通信機能を備えた端末を用いてプレゼンスサーバやＳＩＰサーバに接続する。通信機能を備えた端末は、位置検出機能を備えた携帯型端末、及び／又は、オフィスに存在するネットワークに接続したデスクトップ型端末である。携帯型端末を利用して、ネットワーク内にユーザの位置情報を取り込むことにより、位置情報を起点とした通信サービスを提供するプラットフォームを実現することができる。この通信サービスは、得られる位置情報をプレゼンスサーバに送信し、位置情報をプレゼンス情報として既存の情報に新たに付加することによって、現状のＳＩＰサーバ、プレゼンスサーバと連動するインスタント・メッセージ・サービスの機能を拡張することが実現できる。
【００８８】
以上、本発明の代表的な実施例を説明したが、本発明は、上記の実施例に限定されることなく、特許請求の範囲内において、種々変更・応用が可能である。
【００８９】
【発明の効果】
本発明によれば、通信相手の現在位置情報をプレゼンス情報へ追加することによって、位置情報を利用した新たな通信サービス提供のためのプラットフォームの実現が可能になる。
【図面の簡単な説明】
【図１】本発明の第１実施例による位置情報を用いた通信サービスシステムの構成図である。
【図２】本発明の一実施例によるプレゼンスサーバの構成図である。
【図３】本発明の第１実施例による位置情報を用いた通信サービスシステムの動作フローチャートである。
【図４】本発明の第１実施例による位置情報を用いた通信サービスシステムの動作シーケンス説明図である。
【図５】本発明の第２実施例による位置情報を用いた通信サービスシステムの構成図である。
【図６】制御局の一例の構成図である。
【図７】低感度基地局の一例の構成図である。
【図８】本発明の第２実施例による端末位置検出方法のフローチャートである。
【図９】本発明の第３実施例による位置情報を用いた通信サービスシステムの構成図である。
【図１０】本発明の第４実施例による位置情報を用いた通信サービスシステムの構成図である。
【図１１】本発明の第５実施例による位置情報を用いた通信サービスシステムの構成図である。
【図１２】本発明の第６実施例による位置情報を用いた通信サービスシステムの動作シーケンス説明図である。
【図１３】本発明の第７実施例による位置情報を用いた通信サービスシステムの構成図である。
【符号の説明】
１    端末
２    携帯型端末
３    端末
４    プレゼンスサーバ
５    セッション・イニシエーション・プロトコル・サーバ
６    端末位置情報取得システム
【図１】
2004328309.tif 000003
【図２】
2004328309.tif 000004
【図３】
2004328309.tif 000005
【図４】
2004328309.tif 000006
【図５】
2004328309.tif 000007
【図６】
2004328309.tif 000008
【図７】
2004328309.tif 000009
【図８】
2004328309.tif 000010
【図９】
2004328309.tif 000011
【図１０】
2004328309.tif 000012
【図１１】
2004328309.tif 000013
【図１２】
2004328309.tif 000014
【図１３】
2004328309.tif 000015